(57)【要約】  複数の食品を前後に複数列に重ねて収容する構成において、各食品の摘み出し易さと容器の小型化とを両立することができる包装容器を提供すること。  スライド式の包装容器Ａでは、前室Ｌと、その後方の後室Ｂとに、食品のガム４０（板状小片）を立てた状態で横方向に並べて収容することができる。後室Ｂは、前室Ｌに対して上方ヘスライド移動可能に、前室Ｌに対して組合わされている。そのため、予め包装容器Ａの後側に底上げ部分を設けて後列（後室Ｂ）のガム４０を前列（前室Ｌ）のガム４０より高い位置に配置しなくても、必要なときにだけ、後室Ｂを前室Ｌに対して上方ヘスライド移動させれば、後列のガム４０を前列のガム４０より高い位置に配置して容易に摘み出すことができる。これにより、前記底上げ部分を設けずに済むので、包装容器Ａの小型化を図ることができる。
2012114960.tif 000002
【特許請求の範囲】
【請求項１】
食品の長手板状の小片を収容するための紙製包装容器であって、
前記板状小片を立てた状態で横方向に並べて収容するための前室と、
前記前室の後方に設けられ、前記板状小片を立てた状態で横方向へ並べて収容するための後室とを含み、
前記後室は、前記前室に対して上方ヘスライド移動可能に、前記前室に対して組合わされていることを特徴とする、スライド式包装容器。
【請求項２】
前記後室は、前記前室との組合わせを解除することにより、独立して使用可能な包装容器を形成していることを特徴とする、請求項１記載の包装容器。
【請求項３】
前記後室は、後室前壁、後室の左右側壁、後室底壁および後室後壁を有し、前記後室前壁には、上縁から下方に向って切り欠かれ、前記後室内に収容される前記板状小片の上部を前方へ露出させるための取り出し窓が形成されていて、さらに、前記後室後壁の上縁から上方に向って延設され、前方および下方へ折り曲げられることによって前記包装容器の上壁および前方上部を覆うフラップを構成する延設部を有することを特徴とする、請求項２記載の包装容器。
【請求項４】
前記包装容器の上壁を構成する延設部には、上壁の前後方向中央部に横方向に延びる第２の折りガイドが形成されていて、
前記第２の折りガイドに沿って前記延設部を折り曲げることにより、前記後室を独立して使用する際に、前記上壁の後部が前記後室の上壁となり、前記上壁の前部および前記フラップ間の折れを除くことにより、それらが前記後室の前方を覆うフラップとして機能することを特徴とする、請求項３記載の包装容器。
【請求項５】
前記前室は、包装容器前壁、包装容器左右側壁、包装容器後壁、前室底壁、および、前室後壁となる包装容器内の仕切り壁を含み、
前記前室内に収容される前記板状小片の上部を前方へ露出させるために、前記包装容器前壁の上方部分には、その上縁から切り欠かれた取り出し窓が形成されていることを特徴とする、請求項３または４記載の包装容器。
【請求項６】
前記仕切り壁は、その高さが前記包装容器後壁の高さよりも低くされており、かつ、その上縁の少なくとも中央部に、後方へ折り返された係止片を有することを特徴とする、請求項５記載の包装容器。
【請求項７】
前記後室は、前記前室の後方で、前記前室の仕切り壁と前記包装容器後壁との間の、上下が開放した空間に納まるように、前記前室と組合わされることを特徴とする、請求項６記載の包装容器。
【請求項８】
前記延設部の左右両側には、ストッパが設けられており、
前記ストッパが前記包装容器左右側壁の上縁と係合することにより、前記後室が前記空間から抜け落ちるのが防止されることを特徴とする、請求項７記載の包装容器。
【請求項９】
前記係止片が前記後室前壁の上縁と係合することにより、前記後室が前記前室に対してそれ以上上方ヘ移動するのが止められることを特徴とする、請求項７または８記載の包装容器。
【請求項１０】
前記包装容器後壁には、上下方向に延び、前記包装容器後壁を左右に分離するための帯部が設けられていることを特徴とする、請求項９記載の包装容器。
【請求項１１】
食品の長手板状の小片を収容するための紙製包装容器であって、
前記板状小片を立てた状態で横方向に並べて収容するための第１室と、
前記第１室の後方に設けられ、前記板状小片を立てた状態で横方向へ並べて収容するために後方に向ってＮ段構成で設けられた第２〜第Ｎ室（Ｎは２以上の正の整数）とを含み、
前記第Ｎ室は、第Ｎ−１室に対して上方ヘスライド移動可能に、前記第１室に対して組合わされていることを特徴とする、多段スライド式包装容器。
【請求項１２】
請求項１〜１１のいずれか一項に記載の包装容器の食品収容室に、個包装された複数枚の板状小片形状のガム、チョコレートまたはキャンディという菓子が収容されており、個包装された板状小片形状の菓子の収容状態を保持するために、個包装の外面の一部が接着手段で食品収容室の内面に接着されていることを特徴とする、包装容器入り菓子。
【発明の詳細な説明】
【技術分野】
【０００１】
この発明は、食品、特に菓子を収納するための包装容器に関する。また、この発明は、包装容器入り菓子に関する。
【背景技術】
【０００２】
包装容器として、特許文献１では、ガムやチョコレートやキャンディ等の板状の内容物を収容する包装用箱が提案されている。
特許文献１に記載の包装用箱では、複数の内容物が、立った状態で前後２列に重なって収容されている。この包装用箱の底面は、後側部分が前側部分よりも高くなるように部分的に底上げされており、包装用箱内において、後列の内容物は、前列の内容物よりも高い位置に配置されている。そのため、包装用箱の蓋を開いて包装用箱の上部を開放した場合において、前列および後列のそれぞれにおける内容物が摘み出し易くなっている。
【先行技術文献】
【特許文献】
【０００３】
【特許文献１】特開平１１−１２２０号公報
【発明の概要】
【発明が解決しようとする課題】
【０００４】
特許文献１の包装用箱では、底面を部分的に底上げすることにより、その底上げ部分の分だけ、高さ方向寸法が大きくなってしまう。
また、たとえば、前列の内容物を全て食べ終えてしまうと、後列の内容物の前側には比較的広いデッドスペースが発生するので、内容物が少ない割に無駄にデッドスペースが存在する包装用箱を持ち歩くのは不便である。【０００５】
この発明は、かかる背景のもとでなされたもので、複数の食品を前後に複数列に重ねて収容する構成において、各食品の摘み出し易さと容器の小型化とを両立することができる包装容器を提供することを主たる目的とする。
また、この発明は、複数あるうちの一部の食品を食べ終えたときに、小型化（薄型化）して再使用できる使い勝手の良い包装容器を提供することを別の目的とする。【０００６】
さらに、この発明は、上記包装容器に入った菓子を提供することも、他の目的とする。
【課題を解決するための手段】
【０００７】
請求項１記載の発明は、食品の長手板状の小片を収容するための紙製包装容器であって、前記板状小片を立てた状態で横方向に並べて収容するための前室と、前記前室の後方に設けられ、前記板状小片を立てた状態で横方向へ並べて収容するための後室とを含み、前記後室は、前記前室に対して上方ヘスライド移動可能に、前記前室に対して組合わされていることを特徴とする、スライド式包装容器である。【０００８】
請求項２記載の発明は、前記後室は、前記前室との組合わせを解除することにより、独立して使用可能な包装容器を形成していることを特徴とする、請求項１記載の包装容器である。
請求項３記載の発明は、前記後室は、後室前壁、後室の左右側壁、後室底壁および後室後壁を有し、前記後室前壁には、上縁から下方に向って切り欠かれ、前記後室内に収容される前記板状小片の上部を前方へ露出させるための取り出し窓が形成されていて、さらに、前記後室後壁の上縁から上方に向って延設され、前方および下方へ折り曲げられることによって前記包装容器の上壁および前方上部を覆うフラップを構成する延設部を有することを特徴とする、請求項２記載の包装容器である。【０００９】
請求項４記載の発明は、前記包装容器の上壁を構成する延設部には、上壁の前後方向中央部に横方向に延びる第２の折りガイドが形成されていて、前記第２の折りガイドに沿って前記延設部を折り曲げることにより、前記後室を独立して使用する際に、前記上壁の後部が前記後室の上壁となり、前記上壁の前部および前記フラップ間の折れを除くことにより、それらが前記後室の前方を覆うフラップとして機能することを特徴とする、請求項３記載の包装容器である。【００１０】
請求項５記載の発明は、前記前室は、包装容器前壁、包装容器左右側壁、包装容器後壁、前室底壁、および、前室後壁となる包装容器内の仕切り壁を含み、前記前室内に収容される前記板状小片の上部を前方へ露出させるために、前記包装容器前壁の上方部分には、その上縁から切り欠かれた取り出し窓が形成されていることを特徴とする、請求項３または４記載の包装容器である。【００１１】
請求項６記載の発明は、前記仕切り壁は、その高さが前記包装容器後壁の高さよりも低くされており、かつ、その上縁の少なくとも中央部に、後方へ折り返された係止片を有することを特徴とする、請求項５記載の包装容器である。
請求項７記載の発明は、前記後室は、前記前室の後方で、前記前室の仕切り壁と前記包装容器後壁との間の、上下が開放した空間に納まるように、前記前室と組合わされることを特徴とする、請求項６記載の包装容器である。【００１２】
請求項８記載の発明は、前記延設部の左右両側には、ストッパが設けられており、前記ストッパが前記包装容器左右側壁の上縁と係合することにより、前記後室が前記空間から抜け落ちるのが防止されることを特徴とする、請求項７記載の包装容器である。
請求項９記載の発明は、前記係止片が前記後室前壁の上縁と係合することにより、前記後室が前記前室に対してそれ以上上方ヘ移動するのが止められることを特徴とする、請求項７または８記載の包装容器である。【００１３】
請求項１０記載の発明は、前記包装容器後壁には、上下方向に延び、前記包装容器後壁を左右に分離するための帯部が設けられていることを特徴とする、請求項９記載の包装容器である。
請求項１１記載の発明は、食品の長手板状の小片を収容するための紙製包装容器であって、前記板状小片を立てた状態で横方向に並べて収容するための第１室と、前記第１室の後方に設けられ、前記板状小片を立てた状態で横方向へ並べて収容するために後方に向ってＮ段構成で設けられた第２〜第Ｎ室（Ｎは２以上の正の整数）とを含み、前記第Ｎ室は、第Ｎ−１室に対して上方ヘスライド移動可能に、前記第１室に対して組合わされていることを特徴とする、多段スライド式包装容器である。【００１４】
請求項１２記載の発明は、請求項１〜１１のいずれか一項に記載の包装容器の食品収容室に、個包装された複数枚の板状小片形状のガム、チョコレートまたはキャンディという菓子が収容されており、個包装された板状小片形状の菓子の収容状態を保持するために、個包装の外面の一部が接着手段で食品収容室の内面に接着されていることを特徴とする、包装容器入り菓子である。
【発明の効果】
【００１５】
請求項１記載の発明によれば、スライド式の紙製包装容器では、前室と、前室の後方に設けられた後室とのそれぞれが、食品の長手板状小片を立てた状態で横方向に並べて収容することができる。
後室は、前室に対して上方ヘスライド移動可能に、前室に対して組合わされている。そのため、予め包装容器の後側に底上げ部分を設けて後列（後室）の板状小片を前列（前室）の板状小片より高い位置に配置しなくても、必要なときにだけ、後室を前室に対して上方ヘスライド移動させれば、後列の板状小片を前列の板状小片より高い位置に配置できる。これにより、前記底上げ部分を設けずに済むので、包装容器の小型化を図ることができる。【００１６】
そして、後列の板状小片が食べたければ、後室を前室に対して上方ヘスライド移動させることで、前列の板状小片より高い位置に配置された後列の板状小片を容易に摘み出すことができる。
つまり、この包装容器では、前後に複数列に重ねて収容された各食品（板状小片）の摘み出し易さと容器の小型化とを両立することができる。【００１７】
請求項２記載の発明によれば、後室は、前室との組合わせを解除することにより、独立して使用可能な包装容器を形成する。そのため、前室の板状小片を食べ終わって前室がデッドスペースになってしまった場合には、後室を前室から取り外すことで、残った板状小片を後室に収容された状態でコンパクトに持ち運ぶことができる。つまり、複数あるうちの一部の板状小片を食べ終えたときに、包装容器を小型化（薄型化）して再使用できて使い勝手が良い。【００１８】
請求項３記載の発明によれば、後室の後室前壁に形成された取り出し窓では、後室内の板状小片の上部が前方へ露出されるので、この取り出し窓からアクセスすることで後室内の板状小片を容易に摘み出すことができる。
そして、後室の後室後壁の上縁から上方に向って延設された延設部が、所定の折りガイドに沿って前方および下方へ折り曲げられることによって、フラップとして包装容器の上壁および前方上部を覆う。そのため、包装容器の上壁および前方上部を覆うために、前室および後室の両方にフラップを設けずに済むので部品点数の低減を図ることができる。【００１９】
請求項４記載の発明によれば、包装容器の上壁を構成する延設部には、上壁の前後方向中央部に横方向に延びる第２の折りガイドが形成されている。この第２の折りガイドに沿って延設部を折り曲げることにより、後室を独立して使用する際に、延設部において包装容器の上壁の後部を構成していた部分が後室の上壁となる。そして、延設部において包装容器の上壁の前部を構成していた部分とフラップとの間の折れを除くことにより、それらが後室の前方を覆うフラップとして機能する。【００２０】
そのため、後室の延設部は、後室が前室に組合わされている場合には、包装容器全体のフラップとなり、後室が前室から分離されて独立している場合には、後室のフラップとなる。そのため、包装容器全体のフラップになる部分と、後室のフラップになる部分とを別々に設けずに済むので部品点数の低減を図ることができる。
また、後室を独立して使用する際に、延設部が後室の前方を覆っているので、後室内の板状小片が前方外側へこぼれ落ちることを防止できる。【００２１】
請求項５記載の発明によれば、前室は、包装容器前壁、包装容器左右側壁、包装容器後壁、前室底壁、および、前室後壁となる包装容器内の仕切り壁を含んでいる。
包装容器前壁の上方部分に形成された取り出し窓から前室内の板状小片の上部が前方へ露出されるので、この取り出し窓からアクセスすることで前室内の板状小片を容易に摘み出すことができる。【００２２】
請求項６記載の発明によれば、仕切り壁は、その高さが包装容器後壁の高さよりも低くされているので、仕切り壁によって包装容器全体の高さ寸法が大きくなることを防止できる。
そして、仕切り壁の上縁の少なくとも中央部には、後方へ折り返された係止片が設けられている。【００２３】
請求項７記載の発明のように、後室を、前室の後方で、前室の仕切り壁と包装容器後壁との間の、上下が開放した空間に納まるように、前室と組合わせると、後室が当該空間において前室に対して上下にスライド可能になる。
この場合、請求項８記載の発明のように、延設部の左右両側に設けられたストッパが包装容器左右側壁の上縁と係合することにより、後室が前記空間から抜け落ちるのを防止できる。【００２４】
ここで、請求項９記載の発明のように、係止片が後室の後室前壁の上縁と係合することにより、後室が前室に対してそれ以上上方ヘ移動するのが止められるので、後室を前室に対して所定量だけ上方ヘスライド移動可能となるように前室に対して組合わせることが可能となる。
請求項１０記載の発明によれば、包装容器後壁に設けられた帯部を引きちぎって包装容器後壁を左右に分離することによって、後室を、前室の仕切り壁と包装容器後壁との間の空間から取り出して、独立した包装容器として使用できる。【００２５】
請求項１１記載の発明のように、前室を第１室として、後室を第２〜第Ｎ室とするＮ段構成にして、第２〜第Ｎ室のそれぞれを上方ヘスライドさせるようにしてもよい。
請求項１２記載の発明によれば、衛生的で携行しやすく、また、食べやすい菓子を提供できる。
【図面の簡単な説明】
【００２６】
【図１】図１は、この発明の一実施形態に係る包装容器Ａにおける後室Ｂの展開図である。
【図２】図２は、完成状態にある後室Ｂの斜視図であって、蓋４が開いた状態を示している。
【図３】図３は、完成状態にある後室Ｂの六面図であり、（ａ）は、正面図であり、（ｂ）は、左側面図であり、（ｃ）は、右側面図であり、（ｄ）は、平面図であり、（ｅ）は、底面図であり、（ｆ）は、背面図である。
【図４】図４は、包装容器Ａにおける本体部Ｃの展開図である。
【図５】図５は、完成状態にある本体部Ｃの斜視図であり、（ｂ）の方が、（ａ）よりも真上に近い位置から見た斜視図になっている。
【図６】図６は、完成状態にある本体部Ｃの六面図であり、（ａ）は、正面図であり、（ｂ）は、左側面図であり、（ｃ）は、右側面図であり、（ｄ）は、平面図であり、（ｅ）は、底面図であり、（ｆ）は、背面図である。
【図７】図７は、食品であるガム４０（板状小片）を包装紙４１で包んで食品ユニット４２を形成する手順を説明するための図であり、（ａ）は、ガム４０を包装紙４１に載せた状態を示し、（ｂ）は、（ａ）のガム４０を包装紙４１で包んで食品ユニット４２を完成させた状態を示している。
【図８】図８において、図８（ａ）は、完成状態にある後室Ｂの斜視図であって、食品ユニット４２が収容された状態を示し、図８（ｂ）は、図８（ａ）の後室Ｂの平断面図であり、図８（ｃ）は、完成状態にある本体部Ｃの斜視図であって、食品ユニット４２が収容された状態を示し、図８（ｄ）は、図８（ｃ）の本体部Ｃの平断面図である。
【図９】図９は、後室Ｂを本体部Ｃに組合わせる状態を説明するための分解斜視図である。
【図１０】図１０において、図１０（ａ）は、完成した状態にある包装容器Ａの斜視図であって、蓋４が開いた状態を示しており、図１０（ｂ）は、図１０（ａ）の包装容器Ａの右側断面図である。
【図１１】図１１は、完成した状態にある包装容器Ａの六面図であり、（ａ）は、正面図であり、（ｂ）は、左側面図であり、（ｃ）は、右側面図であり、（ｄ）は、平面図であり、（ｅ）は、底面図であり、（ｆ）は、背面図である。
【図１２】図１２は、図１０（ａ）において蓋４を閉じた状態を示している。
【図１３】図１３は、本体部Ｃから食品ユニット４２を１つ引き出す状態を示しており、図１３（ａ）は、図１０（ａ）と同じ位置から見た斜視図であり、図１３（ｂ）は、図１０（ｂ）と同じ位置における断面図である。
【図１４】図１４は、後室Ｂから食品ユニット４２を１つ引き出す状態を示していて、図１４（ａ）は、図１３（ａ）と同じ位置から見た斜視図であり、図１４（ｂ）は、図１３（ｂ）と同じ位置における断面図である。
【図１５】図１５は、後室Ｂおよび本体部Ｃのそれぞれに食品ユニット４２が充填された状態で後室Ｂを上方ヘスライドさせた状態における包装容器Ａの斜視図である。
【図１６】図１６は、本体部Ｃ側の帯部２９を引きちぎる状態を示す斜視図である。
【図１７】図１７は、完成状態にある後室Ｂの斜視図であって、蓋４を閉じた状態を示している。
【図１８】図１８は、板状小片（ガム４０）の個包装の別の例を示す図である。
【発明を実施するための形態】
【００２７】
以下には、図面を参照して、この発明の実施形態について具体的に説明する。
この発明の一実施形態に係る包装容器Ａは、食品であるガムの板状小片を複数収容するための紙製包装容器である。包装容器Ａは、後室Ｂと本体部Ｃとで構成されており、以下では、まず、後室Ｂおよび本体部Ｃのそれぞれについて説明する。
図１は、この発明の一実施形態に係る包装容器Ａにおける後室Ｂの展開図である。図２は、完成状態にある後室Ｂの斜視図であって、蓋４が開いた状態を示している。図３は、完成状態にある後室Ｂの六面図である。
【００２８】
後室Ｂは、図１に示す１枚の紙で形成された型紙Ｘを組み立てることで形成される。型紙Ｘは、１枚の紙（厚紙等）を後室Ｂの展開図に合うように裁断することで形成されている。
型紙Ｘ、すなわち展開図における後室Ｂは、横長長方形状の後室後壁１を有している。後室後壁１は、上下（縦）方向に平行に延びる左辺１Ｌおよび右辺１Ｒと、これらと直交する左右（横）方向に平行に延びる上辺１Ｕおよび下辺１Ｄを有している。
【００２９】
そして、展開図における後室Ｂは、左辺１Ｌから左側に連設された後室左側壁２と、右辺１Ｒから右側に連設された後室右側壁３と、上辺１Ｕから上側に連設された蓋４（延設部）と、下辺１Ｄから下側に連設された後室底壁５とを有している。後室左側壁２および後室右側壁３は、同じ大きさの縦長長方形状であり、後室底壁５は、横長長方形状である。後室左側壁２および後室右側壁３の各長手方向寸法は、後室後壁１の短手方向寸法と同じである。後室底壁５の長手方向寸法は、後室後壁１の長手方向寸法と同じである。後室左側壁２、後室右側壁３および後室底壁５のそれぞれの短手方向寸法はほぼ同じである。
【００３０】
また、展開図における後室Ｂは、後室左側壁２において左辺１Ｌとは反対側の端縁（図１における左端縁）２Ｌから左側に連設された左延設片６と、後室右側壁３において右辺１Ｒとは反対側の端縁（図１における右端縁）３Ｒから右側に連設された右延設片７と、後室底壁５において下辺１Ｄとは反対側の端縁（図１における下端縁）５Ｄから下側に連設された前延設板８とを有している。
【００３１】
左延設片６および右延設片７は、同じ大きさの縦長Ｌ字板状であり、後室後壁１を挟んで対称に配置されている。そのため、図１では、右延設片７は、Ｌ字をなしている一方で、左延設片６は、左右が逆になったＬ字をなしている。左延設片６の左上側の端縁は、Ｊ字状の端縁（Ｊ字端縁）６Ａをなしていて、右延設片７の右上側の端縁は、左右が逆になったＪ字状の端縁（Ｊ字端縁）７Ａをなしている。左延設片６および右延設片７の（最大）長手方向寸法は、後室左側壁２および後室右側壁３の長手方向寸法と同じである。
【００３２】
前延設板８は、横長長方形状であり、その長手方向寸法は、後室底壁５の長手方向寸法と同じであり、その短手方向寸法は、後室後壁１の短手方向寸法の半分程度である。前延設板８の中央位置には、前延設板８を厚さ方向に貫通する略Ｍ字形状の切込み９が形成されている。
蓋４は、後室後壁１の上辺１Ｕに近い側から順に、第１蓋部１０および第２蓋部１１を一体的に有している。
【００３３】
第１蓋部１０は、横長長方形状であり、その長手方向寸法は、後室後壁１の長手方向寸法よりやや大きく、その短手方向寸法は、後室左側壁２、後室右側壁３および後室底壁５の各短手方向寸法の２倍程度である。第１蓋部１０の左右両端部は、横方向外側へ少し膨出するように湾曲していて、ストッパ１７とされる。第１蓋部１０の長手方向寸法は、左右のストッパ１７の分だけ、後室後壁１の長手方向寸法よりやや大きくなっている。
【００３４】
第２蓋部１１は、横長長方形状であり、その長手方向寸法は、後室後壁１の長手方向寸法と同じであり、その短手方向寸法は、後室後壁１の短手方向寸法の４分の３程度である。第１蓋部１０と第２蓋部１１との間には、第１の折りガイド１２が横方向に延びている。第２蓋部１１において第１の折りガイド１２とは反対側の先端縁（図１における上端縁）１１Ａは、第１の折りガイド１２から離れる方向へ凸湾曲していて、先端縁１１Ａでは、左側部分が、右側部分に比べて、第１の折りガイド１２から離れている。
【００３５】
第１蓋部１０では、その短手方向略中央位置に、第２の折りガイド１３が、第１の折りガイド１２と平行に延びるように形成されている。第２の折りガイド１３によって、第１蓋部１０は、後室後壁１の上辺１Ｕ側の第１片１４と、第１の折りガイド１２側の第２片１５とに、前記短手方向において略二分されている。
このような型紙Ｘにおいて、後室左側壁２、後室右側壁３、蓋４および後室底壁５（前延設板８）を、後室後壁１の左辺１Ｌ、右辺１Ｒ、上辺１Ｕおよび下辺１Ｄのうち対応する辺を折り目にして、同じ側（図１における紙面手前側）へ後室後壁１と直交するように折り曲げる。
【００３６】
次いで、左延設片６および右延設片７を、後室左側壁２の左端縁２Ｌおよび後室右側壁３の右端縁３Ｒのうち対応する端縁を折り目にして、互いに接近する方向（横方向内側）へ後室左側壁２および後室右側壁３と直交するように折り曲げる。
次いで、前延設板８を、後室底壁５の下端縁５Ｄを折り目にして、左延設片６、右延設片７および後室後壁１に対向する方向へ後室底壁５と直交するように折り曲げる。すると、左延設片６においてＪ字端縁６Ａより下側の部分と前延設板８の左端部とが対向し、右延設片７においてＪ字端縁７Ａより下側の部分と前延設板８の右端部とが対向する。この状態で、左延設片６においてＪ字端縁６Ａより下側の部分と前延設板８の左端部とを糊付けし、右延設片７においてＪ字端縁７Ａより下側の部分と前延設板８の右端部とを糊付けすることによって、図２に示すように、後室Ｂが完成する。
【００３７】
完成した後室Ｂでは、前延設板８と、左延設片６においてＪ字端縁６Ａが形成された部分と、右延設片７においてＪ字端縁７Ａが形成された部分とが、一体となって横長略Ｕ状の後室前壁１６を構成している。Ｊ字端縁６Ａ，７Ａと、前延設板８の上端縁とは連続して略Ｕ字をなしており、これらの端縁によって、後室前壁１６には、その上縁から下方に向って後室前壁１６を切り欠く横長長方形状の取り出し窓Ｄが形成されている。
【００３８】
後室Ｂは、後室前壁１６、後室後壁１、後室左側壁２および後室右側壁３によって囲まれた収容空間Ｅを有する前後方向（後室前壁１６と後室後壁１との対向方向）に扁平なボックス状である。図２における紙面手前側が、後室Ｂの前側であり、図２における紙面奥側が、後室Ｂの後側である。収容空間Ｅにおいて、下端は、後室底壁５によって塞がれているが、上端は、後室左側壁２および後室右側壁３の各上端縁によって横方向から区画された横長長方形状の取り出し口Ｆとして上方ヘ開放されている。取り出し口Ｆと取り出し窓Ｄとは連続している。
【００３９】
なお、図３には、後室Ｂの六面図が示されている。
図４は、包装容器Ａにおける本体部Ｃの展開図である。図５は、完成状態にある本体部Ｃの斜視図である。図６は、完成状態にある本体部Ｃの六面図である。
本体部Ｃは、図４に示す１枚の紙で形成された型紙Ｙを組み立てることで形成される。型紙Ｙは、１枚の紙（厚紙等）を本体部Ｃの展開図に合うように裁断することで形成されている。
【００４０】
型紙Ｙ、すなわち展開図における本体部Ｃは、前述した後室前壁１６（図２参照）と同じ大きさの横長略Ｕ状の包装容器前壁２０を有している。そのため、包装容器前壁２０の上方部分には、後室前壁１６の取り出し窓Ｄ（図２参照）と同じ大きさの取り出し窓Ｇが形成されている。取り出し窓Ｇは、包装容器前壁２０を、その上縁から切り欠いている。包装容器前壁２０における取り出し窓Ｇより下側の部分の中央位置には、前延設板８の切込み９（図２参照）と同じ形状の切込み２１が形成されている。切込み２１は、図４では上下が逆になった略Ｍ字形状であり、包装容器前壁２０を厚さ方向に貫通している。このような包装容器前壁２０は、上下（縦）方向に平行に延びる左辺２０Ｌおよび右辺２０Ｒと、これらと直交する左右（横）方向に平行に延びる下辺２０Ｄを有している。
【００４１】
そして、展開図における本体部Ｃは、左辺２０Ｌから左側に連設された包装容器左側壁２２と、右辺２０Ｒから右側に連設された包装容器右側壁２３と、下辺２０Ｄから下側に連設された前室底壁２４とを有している。包装容器左側壁２２および包装容器右側壁２３は、同じ大きさの縦長長方形状であり、前室底壁２４は、横長長方形状である。包装容器左側壁２２および包装容器右側壁２３の各長手方向寸法は、包装容器前壁２０の（最大）短手方向寸法と同じである。前室底壁２４の長手方向寸法は、包装容器前壁２０の長手方向寸法と同じである。包装容器左側壁２２および包装容器右側壁２３の各短手方向寸法は、前室底壁２４の短手方向寸法のほぼ２倍である。
【００４２】
また、展開図における本体部Ｃは、包装容器左側壁２２において左辺２０Ｌとは反対側の端縁（図４における左端縁）２２Ｌから左側に連設された左延設板２５と、包装容器右側壁２３において右辺２０Ｒとは反対側の端縁（図４における右端縁）２３Ｒから右側に連設された右延設板２６と、前室底壁２４において下辺２０Ｄとは反対側の端縁（図４における下端縁）２４Ｄから下側に連設された前室後壁２７とを有している。
【００４３】
左延設板２５は、横長長方形状である。左延設板２５において、長手方向寸法は、包装容器前壁２０の長手方向寸法と同じであり、短手方向寸法は、包装容器前壁２０の（最大）短手方向寸法と同じである。左延設板２５において、左右方向で包装容器左側壁２２側に偏った位置には、左延設板２５の短手方向（上下方向）に沿って左延設板２５を縦断する１対のミシン目２８が形成されている。左延設板２５において１対のミシン目２８に挟まれた部分は、上下方向に延びるジッパー用帯部２９とされる。
【００４４】
右延設板２６は、包装容器右側壁２３の右端縁２３Ｒを下底とする縦長等脚台形状であり、その上底側（図４では右端縁２３Ｒから離れる右側）へ向って細くなっている。
前室後壁２７は、横長長方形状である。前室後壁２７において、長手方向寸法は、前室底壁２４の長手方向寸法と同じであり、短手方向寸法は、左延設板２５の短手方向寸法より小さく、たとえば、左延設板２５の短手方向寸法の４分の３程度である。
【００４５】
また、展開図における本体部Ｃは、前室後壁２７において前室底壁２４の下端縁２４Ｄとは反対側の先端縁（図４における下端縁）２７Ａの横方向中央部から下側に連設された係止片３０とを有している。先端縁２７Ａ上において前室後壁２７と係止片３０との間の位置には、ミシン目３１が横方向に延びている。係止片３０は、ミシン目３１を下底とする横長等脚台形状であり、その上底側（図４ではミシン目３１から離れる下側）へ向って細くなっている。係止片３０を前室後壁２７の一部とみなしても構わない。
【００４６】
このような型紙Ｙにおいて、包装容器左側壁２２（左延設板２５）、包装容器右側壁２３（右延設板２６）、前室底壁２４（前室後壁２７、係止片３０）を、包装容器前壁２０の左辺２０Ｌ、右辺２０Ｒおよび下辺２０Ｄのうち対応する辺を折り目にして、同じ側（図４における紙面奥側）へ包装容器前壁２０と直交するように折り曲げる。
次いで、前室後壁２７（係止片３０）を、前室底壁２４の下端縁２４Ｄを折り目にして、上側へ前室底壁２４と直交するように折り曲げる。すると、前室後壁２７（係止片３０）が、包装容器前壁２０に対して奥側（後側）から隙間を隔てて対向する。このとき、前室後壁２７の先端縁２７Ａは、前室後壁２７の上縁となる。
【００４７】
次いで、係止片３０を、先端縁２７Ａにおけるミシン目３１を折り目として包装容器前壁２０から離れる方向（後方）へ折り返す。
次いで、左延設板２５および右延設板２６を、包装容器左側壁２２の左端縁２２Ｌおよび包装容器右側壁２３の右端縁２３Ｒのうち対応する端縁を折り目にして、互いに接近する方向（横方向内側）へ包装容器左側壁２２および包装容器右側壁２３と直交するように折り曲げる。すると、折り曲げられた左延設板２５の右端部（図４の折り曲げる前では左端部）が右延設板２６に対して後側から重なり、左延設板２５および右延設板２６は、前室後壁２７および折り返された係止片３０に対して隙間を隔てて後側から対向する。この状態で、左延設板２５と右延設板２６との重なり部分を糊付けすることによって、図５に示すように、本体部Ｃが完成する。なお、図５（ａ）および図５（ｂ）は、いずれも本体部Ｃの斜視図であるが、図５（ｂ）の方が、真上に近い位置から見た斜視図になっている。
【００４８】
完成した本体部Ｃでは、糊付けされた左延設板２５と右延設板２６とが、一体となって横長長方形状の包装容器後壁３２を構成している。包装容器後壁３２は、左延設板２５と同じ大きさである。左延設板２５の帯部２９は、包装容器後壁３２において、その左端縁から右側へ少し離れた位置に設けられていて、包装容器後壁３２を縦断するように上下方向に延びている。後述するように帯部２９をミシン目２８に沿って引きちぎると、包装容器後壁３２を、帯部２９の両側において左右に分離することができる。
【００４９】
本体部Ｃは、包装容器前壁２０、包装容器後壁３２、包装容器左側壁２２および包装容器右側壁２３によって囲まれた収容空間Ｈを有する前後方向（包装容器前壁２０と包装容器後壁３２との対向方向）に扁平なボックス状である。図５における紙面手前側が、本体部Ｃの前側であり、図５における紙面奥側が、本体部Ｃの後側である。本体部Ｃにおいて、包装容器前壁２０と包装容器後壁３２との間には、これらの壁と平行に延びるように前室後壁２７が配置されており、これによって、収容空間Ｈは、包装容器前壁２０側（前側）の前空間Ｉと、包装容器後壁３２側（後側）の後空間Ｊとに前後に略二分されている。前室後壁２７は、収容空間Ｈ（本体部Ｃ、換言すれば、包装容器Ａの内部）を仕切る仕切り壁である。前空間Ｉと後空間Ｊとは、ほぼ同じ大きさの前後に扁平なボックス状の空間である。
【００５０】
前室後壁２７は、その高さが包装容器後壁３２の高さよりも低くされている。そのため、前室後壁２７の上縁である先端縁２７Ａは、包装容器後壁３２の上縁よりも低くなっている。これにより、前空間Ｉと後空間Ｊとは、前室後壁２７より上側の位置で互いに連通している。また、前室後壁２７の高さが包装容器後壁３２の高さよりも低くされているので、前室後壁２７によって本体部Ｃ全体（換言すれば、包装容器Ａ全体）の高さ寸法が大きくなることを防止できる。
【００５１】
そして、前室後壁２７の係止片３０は、後空間Ｊ側へ折り返されている。
収容空間Ｈの上端は、包装容器左側壁２２および包装容器右側壁２３の各上端縁によって横方向から区画された横長長方形状の取り出し口Ｋとして上方ヘ開放されている。取り出し口Ｋと包装容器前壁２０の取り出し窓Ｇとは連続している。
収容空間Ｈの略前半分の前空間Ｉでは、その下端が前室底壁２４によって塞がれていて（図５（ｂ）参照）、その上端は、取り出し口Ｋの略前半分として上方ヘ開放されている。また、前空間Ｉの上部は、取り出し窓Ｇから前方へ開放されている。
【００５２】
ここで、収容空間Ｈにおいて前空間Ｉを区画する包装容器前壁２０、前室後壁２７および前室底壁２４、ならびに、包装容器左側壁２２および包装容器右側壁２３の各略前半分のまとまりは、前室Ｌを構成する。なお、前室Ｌは、包装容器左側壁２２および包装容器右側壁２３の各略後半分および包装容器後壁３２を含んでいてもよく、この場合、本体部Ｃ全体が前室Ｌとなる。
【００５３】
収容空間Ｈの略後半分の後空間Ｊでは、その下端が、前室後壁２７および包装容器後壁３２の各下端縁によって前後方向から区画された横長長方形状の挿入口Ｍ（後述する図６（ｅ）参照）として下方ヘ開放されていて、その上端は、取り出し口Ｋの略後半分として上方ヘ開放されている。つまり、後空間Ｊは、前室後壁２７と包装容器後壁３２との間の、上下が開放した空間である。
【００５４】
なお、図６には、本体部Ｃの六面図が示されている。
以上のように完成した後室Ｂおよび本体部Ｃを組合わせることで、包装容器Ａが完成する。後室Ｂおよび本体部Ｃの組合わせを説明する前に、包装容器Ａに収容される食品である板状小片としてのガム４０について説明する。
図７は、食品であるガム４０（板状小片）が包装紙４１で包まれて個包装され、食品ユニット４２を形成する手順を説明するための図である。
【００５５】
図７（ａ）を参照して、ガム４０は、縦長直方体形状をなす薄手のブロック形状（長手板状）である。ガム４０の長手方向寸法は、後室Ｂの後室後壁１（図２参照）および本体部Ｃの包装容器後壁３２（図５参照）のそれぞれの短手方向寸法より若干小さい。
ガム４０は、包装紙４１に包まれる。ガム４０と、これを包んだ状態にある包装紙４１とは、食品ユニット４２を構成する。
【００５６】
包装紙４１は、いわゆる銀紙やワックスペーパーやフィルムであり、展開した状態では、ガム４０全体を包み込む大きさを有する長方形状である。包装紙４１では、その長手方向において一端側へ偏った位置に、包装紙４１の短手方向に沿って包装紙４１を横切って延びるミシン目４３が形成されている。
図７（ａ）に示すように、１つのガム４０を、１枚の包装紙４１の中央部に、それぞれの長手方向が一致するように載置する。そして、包装紙４１においてガム４０からはみ出た部分を折り畳んで、図７（ｂ）に示すように、ガム４０を包装紙４１で包む。このようにガム４０を包装紙４１で包んだ（個包装した）ものが、食品ユニット４２である。食品ユニット４２は、包装紙４１の厚みの分だけガム４０より一回り大きい縦長ブロック形状である。食品ユニット４２を立てると、食品ユニット４２では、その長手方向である縦方向において下端側へ偏った位置に、包装紙４１のミシン目４３が位置しており、ミシン目４３は、食品ユニット４２の短手方向（横方向）に延びてガム４０を一周している。食品ユニット４２を立てた状態を基準として、ミシン目４３は、ガム４０を包んだ状態にある包装紙４１を、ミシン目４３より上側の分離部４１Ａと、ミシン目４３より下側の固定部４２Ｂとに区画している。
【００５７】
なお、包装紙４１としては、ミシン目４３が形成されていないものを用いることも可能である。
このような食品ユニット４２を複数（ここでは、１つの包装容器Ａにつき、１２個）用意する。
図８において、図８（ａ）は、完成状態にある後室Ｂの斜視図であって、食品ユニット４２が収容された状態を示し、図８（ｂ）は、図８（ａ）の後室Ｂの平断面図であり、図８（ｃ）は、完成状態にある本体部Ｃの斜視図であって、食品ユニット４２が収容された状態を示し、図８（ｄ）は、図８（ｃ）の本体部Ｃの平断面図である。
【００５８】
図８（ａ）に示すように、１２個の食品ユニット４２（ガム４０）のうち、６個の食品ユニット４２は、横方向に並んで立った状態で、後室Ｂの収容空間Ｅに収容されている。図８（ｂ）に示すように、後室Ｂの後室後壁１において収容空間Ｅに臨む前面の下端部には、横方向に帯状に延びる接着剤（粘着テープでもよい）４５が塗布されており、収容空間Ｅ内の各食品ユニット４２において、包装紙４１の固定部４１Ｂ（図７（ｂ）参照）が接着剤４５によって後室後壁１に接着されている。図８（ａ）に示すように、６個の食品ユニット４２が収容空間Ｅ（後室Ｂ内）に収容された状態で、これらの上部は、後室前壁１６の取り出し窓Ｄから前方へ露出されているとともに、取り出し口Ｆから上方に露出されている。
【００５９】
なお、後室Ｂに収容される食品ユニット４２は、後室Ｂを組み立てる前の型紙Ｘ（図１参照）の段階で後室後壁１に接着されていて、後室Ｂを組み立てると、収容空間Ｅに収容された状態となる。もちろん、組み立て後の後室Ｂに対して食品ユニット４２を収容しても構わない。
図８（ｃ）に示すように、１２個の食品ユニット４２のうち、残りの６個の食品ユニット４２は、横方向に並んで立った状態で、本体部Ｃの前室Ｌの前空間Ｉに収容されている。図８（ｄ）に示すように、前室Ｌの前室後壁２７において前空間Ｉに臨む前面の下端部には、横方向に帯状に延びる接着剤（粘着テープでもよい）４６が塗布されており、前空間Ｉ内の各食品ユニット４２において、包装紙４１の固定部４１Ｂ（図７（ｂ）参照）が接着剤４６によって前室後壁２７に接着されている。図８（ｃ）に示すように、６個の食品ユニット４２が前空間Ｉ（前室Ｌ内）に収容された状態で、これらの上部は、包装容器前壁２０の取り出し窓Ｇから前方へ露出されているとともに、取り出し口Ｋから上方に露出されている。
【００６０】
なお、前室Ｌに収容される食品ユニット４２は、前室Ｌを組み立てる前の型紙Ｙ（図４参照）の段階で前室後壁２７に接着されていて、前室Ｌ（本体部Ｃ）を組み立てると、前空間Ｉに収容された状態となる。もちろん、組み立て後の前室Ｌに対して食品ユニット４２を収容しても構わない。
このように後室Ｂおよび本体部Ｃ（前室Ｌ）のそれぞれに食品ユニット４２が６個ずつ収容された状態で、次に、後室Ｂを本体部Ｃに組合わせて包装容器Ａを完成させる作業が行われる。
【００６１】
図９は、後室Ｂを本体部Ｃに組合わせる状態を説明するための分解斜視図である。図１０において、図１０（ａ）は、完成した状態にある包装容器Ａの斜視図であって、蓋４が開いた状態を示しており、図１０（ｂ）は、図１０（ａ）の包装容器Ａの右側断面図である。図１１は、完成した状態にある包装容器Ａの六面図である。
図９に示すように、後室Ｂの蓋４を開いた状態にする。このとき、蓋４は、後室後壁１の上縁（上辺１Ｕ）から上方に向って延設された状態になっており、後室後壁１と略面一になっている。次いで、後室Ｂの取り出し窓Ｄと本体部Ｃの取り出し窓Ｇとが同じ方向（図９では手前側）を向いた状態で後室Ｂを本体部Ｃの取り出し口Ｋの後半分部分に対して上から対向配置し、その後、後室Ｂが後室底壁５側から取り出し口Ｋの後半分部分に挿入されるように後室Ｂと本体部Ｃとを相対移動させる。そのため、本体部Ｃを静止させた状態で後室Ｂを本体部Ｃ側へ移動させてもよいし、その逆に、本体部Ｃを後室Ｂ側へ移動させてもよい。
【００６２】
これにより、後室Ｂが取り出し口Ｋの後半分部分に挿入され、本体部Ｃの後空間Ｊに収容されていく。ここで、蓋４の第１蓋部１０は、左右のストッパ１７を有することから、後室Ｂおよび本体部Ｃの中で、最も横方向に大きい（幅広である）。そのため、図１０に示すように、後室Ｂにおいて蓋４以外の部分が、本体部Ｃの後空間Ｊ内に完全に収容されると、蓋４の第１蓋部１０の左右両側のストッパ１７が本体部Ｃの包装容器左側壁２２および包装容器右側壁２３において左右で同じ側にある方の各上端縁に対して上から当接（係合）する。これにより、後室Ｂがこれ以上後空間Ｊ内に入り込まなくなるので、後室Ｂが本体部Ｃの底側の挿入口Ｍを介して後空間Ｊから抜け落ちてしまうことを防止できる。このようにして、後室Ｂが前室Ｌの後方で後空間Ｊに納まるように前室Ｌに対して組合わされ、包装容器Ａが完成する。
【００６３】
この状態では、蓋４が本体部Ｃの取り出し口Ｋから上方ヘ完全にはみ出ている。また、この状態では、前室Ｌの後方に設けられた後室Ｂの後室後壁１、後室左側壁２、後室右側壁３および後室前壁１６の各上端縁が、本体部Ｃの包装容器前壁２０、包装容器左側壁２２、包装容器右側壁２３および包装容器後壁３２の各上端縁と高さ方向で同じ位置にある。また、この状態では、後室後壁１、後室左側壁２、後室右側壁３および後室前壁１６の各下端縁が、包装容器前壁２０、包装容器左側壁２２、包装容器右側壁２３、前室後壁２７および包装容器後壁３２の各下端縁と高さ方向で同じ位置にある。そのため、包装容器Ａを正面から見た場合に、後室Ｂ（蓋４以外の部分）と本体部Ｃの前室Ｌとが完全に重なっている。このとき、後室Ｂ内の各食品ユニット４２と、前室Ｌの各食品ユニット４２とは、高さ方向で同じ位置にあって、全ての食品ユニット４２の上端縁は、高さ方向で同じ位置にある。
【００６４】
また、このとき、図１０（ｂ）に示すように、後室Ｂ側の後室前壁１６における前延設板８の上縁が、本体部Ｃ側の前室後壁２７の係止片３０（厳密には、折り返された係止片３０と前室後壁２７との接続部分の近傍）に対して所定の間隔を隔てて下から対向している。後室Ｂを収容する後空間Ｊでは、上下が開放されているので、後室Ｂは、後空間Ｊにおいて前室Ｌ（本体部Ｃ）に対して上下にスライド可能になる。しかし、後述するように後室Ｂ側の前延設板８の上縁が前室Ｌ側の係止片３０に対して下側から係止されることで、後室Ｂの上方へのスライドは所定量までに制限される。
【００６５】
完成した包装容器Ａは、スライド式であって、前後に扁平なボックス状である。図１０（ａ）における紙面手前側が、包装容器Ａの前側であり、図１０（ａ）における紙面奥側が、包装容器Ａの後側である。
なお、図１１には、包装容器Ａの六面図が示されている。
図１２は、図１０（ａ）において蓋４を閉じた状態を示している。
【００６６】
以上のように完成した包装容器Ａにおいて、蓋４は、図１０（ａ）に示すように引き続き開いていて、後室後壁１の上縁（上辺１Ｕ）から上方に向って延設された状態になっている。そこで、後室後壁１の上辺１Ｕを折り目にして蓋４を後室後壁１に対して直交するように前方へ折り曲げ、さらに、蓋４において、第１の折りガイド１２を折り目にして第２蓋部１１を第１蓋部１０に対して直交するように下方へ折り曲げる。これにより、蓋４は、図１２に示すように閉じた状態となる。
【００６７】
この状態では、蓋４がフラップを構成しており、蓋４において、第１蓋部１０が、包装容器Ａの上壁を覆い、第２蓋部１１が、包装容器Ａの前方上部（包装容器前壁２０の上側部分）を覆っている。そのため、包装容器Ａの上壁にある本体部Ｃの取り出し口Ｋは、第１蓋部１０によって塞がれていて、換言すれば、第１蓋部１０は、包装容器Ａの上壁を構成している。この場合、包装容器Ａの上壁および前方上部を覆うために、前室Ｌおよび後室Ｂの両方にフラップを設けずに済むので部品点数の低減を図ることができる。
【００６８】
ここで、第１蓋部１０において第１蓋部１０を第１片１４と第２片１５とに二分する第２の折りガイド１３は、第１蓋部１０（包装容器Ａの上壁）の前後方向中央部で横方向に延びている。また、包装容器前壁２０の上側部分にある取り出し窓Ｇは、第２蓋部１１によって塞がれている。そして、第２蓋部１１の先端縁１１Ａを包装容器前壁２０の切込み２１に差し込むことによって、蓋４が外れないように包装容器前壁２０に係合する。これにより、蓋４が閉じた状態が維持される。蓋４が閉じた状態における包装容器Ａは、封筒状になっている。
【００６９】
図１３は、本体部Ｃから食品ユニット４２を１つ引き出す状態を示しており、図１３（ａ）は、図１０（ａ）と同じ位置から見た斜視図であり、図１３（ｂ）は、図１０（ｂ）と同じ位置における断面図である。図１４は、後室Ｂから食品ユニット４２を１つ引き出す状態を示していて、図１４（ａ）は、図１３（ａ）と同じ位置から見た斜視図であり、図１４（ｂ）は、図１３（ｂ）と同じ位置における断面図である。図１５は、後室Ｂおよび本体部Ｃのそれぞれに食品ユニット４２が充填された状態で後室Ｂを上方ヘスライドさせた状態における包装容器Ａの斜視図である。
【００７０】
包装容器Ａに収容されたガム４０を食べたい場合には、第２蓋部１１の先端縁１１Ａを包装容器前壁２０の切込み２１から取り外して、図１３に示すように、蓋４を開く。
食べ方の一例として、包装容器Ａにおいて最前列にある前室Ｌのガム４０から順に食べることとする。この場合、前室Ｌ（本体部Ｃ）の包装容器前壁２０の上方部分に形成された取り出し窓Ｇから前室Ｌ内の食品ユニット４２（ガム４０）の上部（包装紙４１の分離部４１Ａ）が前方へ露出されている。そのため、この取り出し窓Ｇからアクセスすることで前室Ｌ内のガム４０を指先１００で容易に摘むことができる。そして、指先１００で摘んだ食品ユニット４２を、太線矢印で示すように本体部Ｃの取り出し口Ｋから上方ヘ引き出す。
【００７１】
すると、図１３（ｂ）を参照して、摘まれた食品ユニット４２では、包装紙４１の固定部４１Ｂが接着剤４６によって本体部Ｃ側に固定されていることから、包装紙４１が分離部４１Ａと固定部４１Ｂとに分離する。これにより、摘まれた食品ユニット４２では、分離部４１Ａと、これに包まれたガム４０とが一体となった状態で、前室Ｌから摘み出される。残りの食品ユニット４２は、接着剤４６によって本体部Ｃ側に固定されているので、前室Ｌ内において、これらの食品ユニット４２の位置がずれることはない。
【００７２】
摘み出された食品ユニット４２のガム４０において分離部４１Ａから露出された部分をくわえることでガム４０を食べることができる。
同様の手順で、前室Ｌにおける残りの食品ユニット４２も摘み出されて、各食品ユニット４２のガム４０が食べられる。
なお、包装紙４１としてミシン目４３が形成されていない包装紙を使用した場合、または後述する変形例としての透明フィルム５１やプラスチック製の入れ物５２（図１８の説明参照）によってガム４０が個包装されている場合は、包装紙全体、透明フィルム５１全体、または入れ物５２全体が接着剤４６から外れて、個包装された食品ユニット４２全体を摘み出すことができる。
【００７３】
そして、図１４に示すように前室Ｌにおける全ての食品ユニット４２が摘み出されると、後室Ｂだけ（たとえば、蓋４）を掴んで上方ヘ引き上げる。または、本体部Ｃの挿入口Ｍから露出された後室底壁５（図１４（ｂ）参照）を押し上げてもよい。これらのいずれかにより、後室Ｂは、前室Ｌ（本体部Ｃ）に対して上方ヘスライド移動する。そして、図１４（ｂ）に示すように、後室Ｂの後室前壁１６における前延設板８の上縁が、本体部Ｃ側の前室後壁２７の係止片３０（厳密には、折り返された係止片３０と前室後壁２７との接続部分）に対して下から係合すると、後室Ｂが前室Ｌに対してそれ以上上方ヘ移動するのが止められる。このように、後室Ｂは、前室Ｌに対して、前延設板８が係止片３０に係合するまでの所定量Ｚだけ上方ヘスライド移動可能となるように組合わされており、後室Ｂが所定量Ｚだけ上方ヘスライドすると、後室Ｂおよび前室Ｌは段違いに配置される。
【００７４】
このように後室Ｂが上方ヘスライドすると、後室Ｂにおいて蓋４以外の部分における上部が、本体部Ｃの取り出し口Ｋから上方ヘはみ出た状態となる。そのため、後室Ｂ内の各食品ユニット４２の上部も、本体部Ｃの取り出し口Ｋから上方ヘはみ出た状態となる。
食品ユニット４２の上部（包装紙４１の分離部４１Ａ）は、後室Ｂの上部の取り出し窓Ｄから前方へ露出されているので、取り出し窓Ｄからアクセスすることで後室Ｂ内の食品ユニット４２（ガム４０）を指先１００で容易に摘むことができる。次いで、指先１００で摘んだ食品ユニット４２を、太線矢印で示すように後室Ｂの取り出し口Ｆから上方ヘ引き出す。すると、図１４（ｂ）を参照して、摘まれた食品ユニット４２では、包装紙４１の固定部４１Ｂが接着剤４５によって後室Ｂ側に固定されていることから、包装紙４１が分離部４１Ａと固定部４１Ｂとに分離する。これにより、摘まれた食品ユニット４２では、分離部４１Ａと、これに包まれたガム４０とが一体となった状態で、後室Ｂから摘み出される。残りの食品ユニット４２は、接着剤４５によって後室Ｂ側に固定されているので、後室Ｂ内において、これらの食品ユニット４２の位置がずれることはない。
【００７５】
摘み出された食品ユニット４２のガム４０において、分離部４１Ａから露出された部分をくわえることでガム４０を食べることができる。
同様の手順で、後室Ｂにおける残りの食品ユニット４２も摘み出されて、各食品ユニット４２のガム４０が食べられる。後室Ｂにおいて摘み出されずに残った食品ユニット４２があれば、後室Ｂを下方へ所定量Ｚだけスライドさせて、後室Ｂ（蓋４以外の部分）を本体部Ｃの後空間Ｊ内に完全に収容する（図１０参照）。このとき、蓋４の第１蓋部１０の左右のストッパ１７が本体部Ｃの包装容器左側壁２２および包装容器右側壁２３において左右で同じ側にある方に対して上から当接するので、後空間Ｊ内に収容された後室Ｂが本体部Ｃの底側の挿入口Ｍから抜け落ちてしまうことを防止できる。
【００７６】
以上のように、後室Ｂは、前室Ｌに対して所定量Ｚだけ上方ヘスライド移動可能に、前室Ｌに対して組合わされている。そのため、予め包装容器Ａの後側に底上げ部分を設けて後列（後室Ｂ）のガム４０を前列（前室Ｌ）のガム４０より高い位置に配置しなくても、必要なときにだけ、後室Ｂを前室Ｌに対して上方ヘスライド移動させれば、後列のガム４０を前列のガム４０より高い位置に配置できる（図１５参照）。これにより、前記底上げ部分を設けずに済むので、包装容器Ａの小型化を図ることができる。
【００７７】
そして、後列のガム４０が食べたければ、後室Ｂを前室Ｌに対して上方ヘスライド移動させることで、前列のガム４０より高い位置に配置された後列のガム４０を容易に摘み出すことができる。
つまり、この包装容器Ａでは、前後に複数列に重ねて収容された各食品（ガム４０）の摘み出し易さと容器の小型化とを両立することができる。
【００７８】
なお、前述した食べ方は、あくまで一例である。そのため、たとえば、図１５に示すように、前室Ｌの食品ユニット４２を取り出す前に、後室Ｂを上方ヘスライドさせて、後室Ｂの食品ユニット４２のガム４０を先に食べてもよい。
また、ガム４０を全部食べ切れなかった場合には、食べ残しのガム４０についての食品ユニット４２が前室Ｌや後室Ｂに残った状態で、蓋４が閉じられる（図１２参照）。
【００７９】
図１６は、本体部Ｃ側の帯部２９を引きちぎる状態を示す斜視図である。図１７は、完成状態にある後室Ｂの斜視図であって、蓋４を閉じた状態を示している。
また、後室Ｂに食品ユニット４２が残っている状態で、前室Ｌのガム４０を全て食べ切った場合には、図１６に示すように、本体部Ｃの包装容器後壁３２における帯部２９を引きちぎる。すると、包装容器後壁３２が左右に分離されるので、包装容器後壁３２における左側部分と右側部分との間を介して後空間Ｊから後室Ｂだけを取り出すことができる。
【００８０】
後室Ｂは、このように本体部Ｃ（前室Ｌ）との組合わせを解除することにより、独立して使用可能な包装容器を形成する。そのため、前室Ｌのガム４０を食べ終わって前室Ｌがデッドスペースになってしまった場合には（図１４参照）、後室Ｂを前室Ｌから取り外すことで、残ったガム４０を後室Ｂに収容された状態で、元の包装容器Ａの約半分の薄さでコンパクトに持ち運ぶことができる。つまり、複数あるうちの一部のガム４０を食べ終えたときに、包装容器Ａを小型化（薄型化）して再使用できて使い勝手が良い。
【００８１】
後室Ｂ内の食品ユニット４２のガム４０をまだ食べないのであれば、まず、蓋４の第１の折りガイド１２における折れ（図１２参照）を除く。つまり、第１蓋部１０（包装容器Ａの上壁であった部分）の前部である第２片１５と、包装容器Ａのフラップであった第２蓋部１１との間の折れを除く。これにより、第１蓋部１０と第２蓋部１１とが面一になる。
【００８２】
次いで、第２の折りガイド１３を折り目にして（第２の折りガイド１３に沿って）、第２片１５および第２蓋部１１を、第１片１４に対して直交するように前下側へ折り曲げる。これにより、蓋４は、図１７に示すように閉じた状態となる。この状態で、蓋４では、第１蓋部１０の後部である第１片１４が後室Ｂの上壁となり、第２片１５および第２蓋部１１は、後室Ｂの前方を覆うフラップとして機能する。
【００８３】
このように、後室Ｂの蓋４は、後室Ｂが前室Ｌに組合わされている場合には、包装容器Ａ全体のフラップとなり（図１２参照）、後室Ｂが前室Ｌから分離されて独立している場合には、後室Ｂのフラップとなる（図１７参照）。そのため、包装容器Ａ全体のフラップになる部分と、後室Ｂのフラップになる部分とを別々に設けずに済むので部品点数の低減を図ることができる。
【００８４】
また、単体となった後室Ｂで蓋４を閉じた状態では、蓋４において、第１蓋部１０の第１片１４が後室Ｂの上壁を覆い、第２片１５および第２蓋部１１が、後室Ｂの前方上部（後室前壁１６の上側部分）を覆っている。そのため、後室Ｂの上壁にある取り出し口Ｆは、第１片１４によって塞がれていて、後室前壁１６の上側部分にある取り出し窓Ｄは、第２片１５および第２蓋部１１によって塞がれている。そのため、後室Ｂを独立して使用する際に、蓋４が後室Ｂの前方および上方を覆っているので、後室Ｂ内のガム４０が前方外側へこぼれ落ちることを防止できる。
【００８５】
そして、第２蓋部１１の先端縁１１Ａを後室前壁１６の切込み９に差し込むことによって、蓋４が外れないように後室前壁１６に係合し、蓋４が閉じた状態が維持される。蓋４が閉じた状態における後室Ｂは、封筒状になっている。
後室Ｂに収容されたガム４０を食べたい場合には、第２蓋部１１の先端縁１１Ａを後室前壁１６の切込み９から取り外して、図２に示すように、蓋４を開く。そして、前述した手順で食品ユニット４２を摘んで取り出し口Ｆから上方ヘ引き出し、この食品ユニット４２のガム４０を食べる。
【００８６】
上述の実施形態では、板状小片形状のガム４０が包装紙４１で包まれて個包装され、食品ユニット４２が構成される旨説明した。食品ユニット４２は、包装紙４１にて包装（個包装）されたものに限らない。例えば、図１８（ａ）（ｂ）に示すように、板状小片形状のガム４０を透明フィルム５１で覆った後、透明フィルム５１の上下左右の周囲にヒートシール５１ｈを施し、ガム４０を透明フィルム５１で密封した食品ユニット４２としてもよい。この場合において、透明フィルム５１とガム４０との間に多少の空隙がある状態で密封しても良いし、また、空隙が生じないように脱気したのち、密封しても良い。これらの場合、透明フィルム５１がガム４０に密着し、ガム４０が外気に触れることが無いため、ガム４０の品質保護性が向上する。
【００８７】
また、包装紙４１の包装の場合と同様に、取り出し時にガム４０の下方部が露出した状態で取り出せるように、透明フィルム５１に、上部と下部とが分離可能なミシン目または脆弱ライン等が形成された構成とすることも可能である。
また、図１８（ｃ）に示すように、板状小片形状のガム４０がプラスチック製の入れ物５２に内封されて、食品ユニット４２となったものでもよい。
【００８８】
図１８（ａ）（ｂ）に示すような、透明フィルム５１でガム４０を密封した食品ユニット４２の場合、板状小片であるガム４０を立てた状態で横方向に並べて収容し、左右両端部の一部を一定の間隔で重ね合わせることにより、ガム４０をコンパクトに収納させることができ、且つ、見映えを向上させることもできる。
この発明は、以上に説明した実施形態に限定されるものではなく、請求項記載の範囲内において種々の変更が可能である。
【００８９】
たとえば、この包装容器Ａでは、前室Ｌおよび後室Ｂのそれぞれに食品ユニット４２を収容することで、全体として前後２列で食品ユニット４２を収容している（図１０参照）。これに代えて、後室Ｂを複数設けることで、前後３列以上で食品ユニット４２を収容しても構わない。この場合、複数の後室Ｂが階段状に上方へ引き出されることにより、各後室Ｂの食品ユニット４２を容易に摘み出せるとよい。
【００９０】
また、前室Ｌおよび後室Ｂのそれぞれに食品ユニット４２を横方向に６個並べて収容しているが、前室Ｌおよび後室Ｂのそれぞれに収容する食品ユニット４２の数は、適宜変更可能である。
また、図７を参照して、各食品ユニット４２では、これを包装容器Ａから取り出すときに包装紙４１が分離部４１Ａと固定部４１Ｂとに分離するのだが（図１３および図１４参照）、包装紙４１が分離しなくてもよい。その場合には、包装紙４１にミシン目４３を設けなくてもよく、食品ユニット４２は、包装紙４１が分離されることなく包装容器Ａから取り出される。包装紙４１が破れることなく食品ユニット４２を容易に包装容器Ａから取り出せるように、食品ユニット４２は、接着剤４５，４６によって仮止め程度に（弱めに）包装容器Ａ（後室Ｂおよび本体部Ｃであり、図１３および図１４参照）に固定されていることが好ましい。
【００９１】
また、必要数分の食品ユニット４２を集積紙（図示せず）で束ねた後に、食品ユニット４２の束を前室Ｌおよび後室Ｂのそれぞれにセットしてもよい。この場合、食品ユニット４２の束は、前室Ｌおよび後室Ｂを組み立てる前の型紙Ｘ，Ｙ（図１および図４参照）に接着されていて、前室Ｌおよび後室Ｂを組み立てると、前室Ｌおよび後室Ｂのそれぞれに収容された状態となる。
【００９２】
また、蓋４を閉じる方法として、第２蓋部１１の先端縁１１Ａを切込み９，２１に差し込む方法（図１２および図１７参照）だけでなく、第２蓋部１１の中央や先端縁１１Ａ寄りの箇所に山型の切込みを入れ、当該切込みと切込み９，２１とを係合させる方法を用いてもよい。
また、後室Ｂと本体部Ｃ（前室Ｌ）との組み合わせ方法（包装容器Ａの作製方法）として、本体部Ｃにおいて左延設板２５と右延設板２６とを接着しない状態で、後室Ｂを後空間Ｊに収容して本体部Ｃに組み合わせ、その後、左延設板２５と右延設板２６とを接着して包装容器Ａを完成させてもよい（図９参照）。
【００９３】
また、この実施例では、包装容器Ａに収容される板状小片をガムとしたが、板状小片形状をしたチョコレートやキャンディとしてもよい。
【符号の説明】
【００９４】
１      後室後壁
１Ｌ    左辺
１Ｒ    右辺
１Ｕ    上辺
１Ｄ    下辺
２      後室左側壁
２Ｌ    左端縁
３      後室右側壁
３Ｒ    右端縁
４      蓋
５      後室底壁
５Ｄ    下端縁
６      左延設片
６Ａ    Ｊ字端縁
７      右延設片
７Ａ    Ｊ字端縁
８      前延設板
９      切込み
１０    第１蓋部
１１    第２蓋部
１１Ａ  先端縁
１２    第１の折りガイド
１３    第２の折りガイド
１４    第１片
１５    第２片
１６    後室前壁
１７    ストッパ
２０    包装容器前壁
２０Ｌ  左辺
２０Ｒ  右辺
２０Ｄ  下辺
２１    切込み
２２    包装容器左側壁
２２Ｌ  左端縁
２３    包装容器右側壁
２３Ｒ  右端縁
２４    前室底壁
２４Ｄ  下端縁
２５    左延設板
２６    右延設板
２７    前室後壁
２７Ａ  先端縁
２８    ミシン目
２９    帯部
３０    係止片
３１    ミシン目
３２    包装容器後壁
４０    板状小片
４１    包装紙
４１Ａ  分離部
４１Ｂ  固定部
４２    食品ユニット
４３    ミシン目
４５    接着剤
４６    接着剤
５１    透明フィルム
５１ｈ  ヒートシール
５２    プラスチック製の入れ物
１００  指先
Ａ      包装容器
Ｂ      後室
Ｃ      本体部
Ｄ      取り出し窓
Ｅ      収容空間
Ｆ      取り出し口
Ｇ      取り出し窓
Ｈ      収容空間
Ｉ      前空間
Ｊ      後空間
Ｋ      取り出し口
Ｌ      前室
Ｍ      挿入口
Ｘ      型紙
Ｙ      型紙
Ｚ      所定量
【図１】
2012114960.tif 000003
【図２】
2012114960.tif 000004
【図３】
2012114960.tif 000005
【図４】
2012114960.tif 000006
【図５】
2012114960.tif 000007
【図６】
2012114960.tif 000008
【図７】
2012114960.tif 000009
【図８】
2012114960.tif 000010
【図９】
2012114960.tif 000011
【図１０】
2012114960.tif 000012
【図１１】
2012114960.tif 000013
【図１２】
2012114960.tif 000014
【図１３】
2012114960.tif 000015
【図１４】
2012114960.tif 000016
【図１５】
2012114960.tif 000017
【図１６】
2012114960.tif 000018
【図１７】
2012114960.tif 000019
【図１８】
2012114960.tif 000020
【国際調査報告】
2012114960.tif 000021
2012114960.tif 000022
2012114960.tif 000023
2012114960.tif 000024